(57)【要約】【課題】発光素子に電力を供給するための給電アタッチメントにおいて、その薄型化を図る。【解決手段】絶縁部材３２に埋設された左右１対のバスバー電極３４における絶縁部材３２からの露出部分によって、発光素子１４と電気的に接続される端子片３４ａと、外部電源と電気的に接続される端子ピン３４ｃとを構成する。そして、絶縁部材３２として、左右１対の端子片３４ａを露出させる開口部３２ａと、左右１対の端子ピン３４ｃを収容するコネクタ部３２ｄとが形成された構成とする。その際、給電アタッチメント３０として、左右１対の端子ピン３４ｃがコネクタ部３２ｄの内部空間において水平方向に並んだ状態で配置された構成とする。これにより、コネクタ部３２ｄの上下方向の寸法を小さくして、給電アタッチメント３０の薄型化を図る。【選択図】図４
2020184446.tif 000002
【特許請求の範囲】
【請求項１】
発光素子に電力を供給するための給電アタッチメントであって、１対のバスバー電極が該バスバー電極の一部を露出させた状態で絶縁部材に埋設されてなる給電アタッチメントにおいて、
上記１対のバスバー電極における上記絶縁部材からの露出部分によって、上記発光素子と電気的に接続される１対の第１端子部と、外部電源と電気的に接続される１対の第２端子部とが構成されており、
上記絶縁部材に、上記１対の第１端子部を露出させる開口部と、上記１対の第２端子部を収容するコネクタ部とが形成されており、
上記１対の第２端子部は、上記コネクタ部の内部空間において水平方向に並んだ状態で配置されている、ことを特徴とする給電アタッチメント。
【請求項２】
上記コネクタ部は、上記１対の第２端子部が並んでいる第１方向に関して上記開口部と重複する位置に形成されている、ことを特徴とする請求項１記載の給電アタッチメント。
【請求項３】
上記１対の第２端子部は、各々が板状に形成されており、かつ、板面が上記第１方向と直交する第２方向を向くように配置されている、ことを特徴とする請求項１または２記載の給電アタッチメント。
【請求項４】
請求項１〜３いずれか記載の発光素子および給電アタッチメントと、上記発光素子からの出射光を制御する光学部材と、上記発光素子、上記給電アタッチメントおよび上記光学部材を支持するヒートシンクと、を備えた灯具ユニットにおいて、
上記ヒートシンクに、上記コネクタ部の少なくとも一部分を収容する凹部が形成されている、ことを特徴とする灯具ユニット。
【請求項５】
上記コネクタ部の上壁部に、該コネクタ部を上記外部電源側のコネクタと係合させるための係合孔が形成されている、ことを特徴とする請求項４記載の灯具ユニット。
【発明の詳細な説明】
【技術分野】
【０００１】
本願発明は、発光素子に電力を供給するための給電アタッチメントおよび該給電アタッチメントを備えた灯具ユニットに関するものである。
【背景技術】
【０００２】
従来より、例えば「特許文献１」に記載されているように、発光ダイオード等の発光素子に電力を供給するための給電アタッチメントとして、１対のバスバー電極がその一部を露出させた状態で絶縁部材に埋設された構成のものが知られている。
【０００３】
この「特許文献１」に記載された給電アタッチメントにおいては、１対のバスバー電極における絶縁部材からの露出部分によって、発光素子と電気的に接続される１対の第１端子部と、外部電源と電気的に接続される１対の第２端子部とが構成されており、その絶縁部材には１対の第１端子部を露出させる開口部と１対の第２端子部を収容するコネクタ部とが形成されている。
【先行技術文献】
【特許文献】
【０００４】
【特許文献１】特開２０１４−１９７５５０号公報
【発明の概要】
【発明が解決しようとする課題】
【０００５】
上記「特許文献１」に記載された給電アタッチメントにおいては、１対の第２端子部がコネクタ部の内部空間において上下方向に並んだ状態で配置されているので、コネクタ部の上下方向の寸法が大きくなってしまい、給電アタッチメントの薄型化を図ることが困難である。
【０００６】
本願発明は、このような事情に鑑みてなされたものであって、発光素子に電力を供給するための給電アタッチメントにおいて、その薄型化を図ることができる給電アタッチメントを提供することおよびこのような給電アタッチメントを備えた灯具ユニットを提供することを目的とするものである。
【課題を解決するための手段】
【０００７】
本願発明は、１対の第２端子部の配置に工夫を施すことにより、上記目的達成を図るようにしたものである。
【０００８】
すなわち、本願発明に係る給電アタッチメントは、
発光素子に電力を供給するための給電アタッチメントであって、１対のバスバー電極が該バスバー電極の一部を露出させた状態で絶縁部材に埋設されてなる給電アタッチメントにおいて、
上記１対のバスバー電極における上記絶縁部材からの露出部分によって、上記発光素子と電気的に接続される１対の第１端子部と、外部電源と電気的に接続される１対の第２端子部とが構成されており、
上記絶縁部材に、上記１対の第１端子部を露出させる開口部と、上記１対の第２端子部を収容するコネクタ部とが形成されており、
上記１対の第２端子部は、上記コネクタ部の内部空間において水平方向に並んだ状態で配置されている、ことを特徴とするものである。
【０００９】
上記「絶縁部材」の種類は特に限定されるものではなく、例えば樹脂製の部材やセラミックス製の部材等が採用可能である。
【００１０】
上記「発光素子」の種類は特に限定されるものではなく、例えば発光ダイオードやレーザダイオード等が採用可能である。
【００１１】
上記「第１端子部」、「第２端子部」の具体的な位置関係は特に限定されるものではない。
【発明の効果】
【００１２】
本願発明に係る給電アタッチメントは、絶縁部材に埋設された複数のバスバー電極における絶縁部材からの露出部分によって、発光素子と電気的に接続される第１端子部と、外部電源と電気的に接続される第２端子部とが構成されており、その絶縁部材には１対の第１端子部を露出させる開口部と１対の第２端子部を収容するコネクタ部とが形成されているが、１対の第２端子部はコネクタ部の内部空間において水平方向に並んだ状態で配置されているので、コネクタ部の上下方向の寸法を小さくすることができ、これにより給電アタッチメントの薄型化を図ることができる。
【００１３】
このように本願発明によれば、発光素子に電力を供給するための給電アタッチメントにおいて、その薄型化を図ることができる。
【００１４】
上記構成において、さらに、コネクタ部の構成として、１対の第２端子部が並んでいる第１方向に関して開口部と重複する位置に形成された構成とすれば、給電アタッチメントが例えば車両用ヘッドランプ等のように左右１対の灯具ユニットに用いられるような場合であっても、両灯具ユニット相互間で給電アタッチメントを共通化することが容易に可能となる。
【００１５】
上記構成において、さらに、１対の第２端子部の構成として、各々が板状に形成されており、かつ、板面が第１方向と直交する第２方向を向くように配置された構成とすれば、コネクタ部の上下方向の寸法をさらに小さくすることができ、これにより給電アタッチメントの一層の薄型化を図ることができる。
【００１６】
このような給電アタッチメントおよび発光素子を備えた灯具ユニットの構成として、給電アタッチメントおよび発光素子が、発光素子からの出射光を制御する光学部材と共にヒートシンクに支持された構成とした上で、ヒートシンクに、給電アタッチメントの絶縁部材におけるコネクタ部の少なくとも一部分を収容する凹部が形成された構成とすれば、次のような作用効果を得ることができる。
【００１７】
すなわち、ヒートシンクに凹部を形成することによりコネクタ部との干渉を回避することが容易に可能となるが、コネクタ部はその上下方向の寸法が小さいので、ヒートシンクに凹部を形成したとしてもこれを浅いものとすることができ、これによりヒートシンクの放熱機能が低下してしまうのを効果的に抑制することができる。
【００１８】
その際、コネクタ部の上壁部に、コネクタ部を外部電源側のコネクタと係合させるための係合孔が形成された構成とすれば、コネクタ部をその係合孔において外部電源側のコネクタと係合させることにより、コネクタ部と外部電源側のコネクタとの嵌合による給電アタッチメントと外部電源との電気的接続を維持することが容易に可能となり、しかも、その嵌合状態をコネクタ部の係合孔において目視で確認することが可能となる。
【図面の簡単な説明】
【００１９】
【図１】本願発明の一実施形態に係る給電アタッチメントおよび灯具ユニットを備えた車両用灯具を示す側断面図
【図２】上記灯具ユニットを示す平面図
【図３】図１のIII 部詳細図
【図４】図３のIV方向矢視図
【図５】図４のＶ方向矢視図
【図６】上記実施形態の変形例を示す、図４と同様の図
【発明を実施するための形態】
【００２０】
以下、図面を用いて、本願発明の実施の形態について説明する。
【００２１】
図１は、本願発明の一実施形態に係る給電アタッチメント３０および灯具ユニット１０を備えた車両用灯具１００を示す側断面図である。また、図２は、灯具ユニット１０を示す平面図である。
【００２２】
これらの図において、Ｘで示す方向が「ユニット前方」であり、Ｙで示す方向が「ユニット前方」と直交する「左方向」（ユニット正面視では「右方向」）であり、Ｚで示す方向が「上方向」である。これら以外の図においても同様である。
【００２３】
車両用灯具１００は、車両の前端部に設けられるヘッドランプであって、ランプボディ１０２と透光カバー１０４とで形成される灯室内に、灯具ユニット１０がその前後方向（すなわちユニット前後方向）を車両前後方向と一致させるように光軸調整が行われた状態で収容された構成となっている。
【００２４】
灯具ユニット１０は、投影レンズ１２と、この投影レンズ１２の後側焦点Ｆよりもユニット後方側に配置された発光素子１４と、この発光素子１４を上方側から覆うように配置され、該発光素子１４からの出射光を投影レンズ１２へ向けて反射させるリフレクタ１６と、発光素子１４と投影レンズ１２との間に配置された可動シェード１８とを備えた構成となっている。
【００２５】
投影レンズ１２は、前面が凸面で後面が平面の平凸非球面レンズであって、ユニット前後方向に延びる光軸Ａｘを有している。そして、この投影レンズ１２は、その後側焦点Ｆを含む焦点面である後側焦点面上に形成される光源像を、反転像として灯具前方の仮想鉛直スクリーン上に投影するようになっている。
【００２６】
図３は、図１のIII 部詳細図である。また、図４は、図３のIV方向矢視図であり、図５は、図４のＶ方向矢視図である。
【００２７】
これらの図にも示すように、発光素子１４は白色発光ダイオードであって、横長矩形状の発光面１４ａを有している。そして、この発光素子１４は、その発光面１４ａを光軸Ａｘの下方において上向きにした状態で、光源支持部材２０を介してヒートシンク２２に支持されている。
【００２８】
このヒートシンク２２の上面２２ａにおいて光源支持部材２０が支持されている光源支持領域２２ａ１は、その周辺領域に対して上方側に突出した状態で平面状に形成されている。この光源支持領域２２ａ１は、その周辺領域と共にユニット後方へ向けて下方側に傾斜した傾斜面で構成されており、これにより発光素子１４の発光面１４ａは斜め上後方を向いた状態で配置されている。
【００２９】
ヒートシンク２２の上面２２ａには、発光素子１４に電力を供給するための給電アタッチメント３０が取り付けられている（これについては後述する）。
【００３０】
リフレクタ１６は、その反射面１６ａが発光素子１４の発光中心を第１焦点とする略楕円面状の曲面で構成されている。この反射面１６ａは、その長軸に沿った鉛直断面形状が後側焦点Ｆのやや前方に位置する点を第２焦点とする楕円形状に設定されており、その離心率が鉛直断面から水平断面へ向けて徐々に大きくなるように設定されている。このリフレクタ１６は、その左右両側部においてヒートシンク２２に支持されている（これについても後述する）。
【００３１】
一方、投影レンズ１２は、その外周フランジ部においてレンズホルダ２４に支持されている。
【００３２】
このレンズホルダ２４は、投影レンズ１２を支持するホルダ本体２４Ａと、このホルダ本体２４Ａの左右両側部からユニット後方へ延びるように形成された左右１対のアーム部２４Ｂと、これら左右１対のアーム部２４Ｂの後端部を連結する連結部２４Ｃとを備えている。その際、左右１対のアーム部２４Ｂは、その後端部において光軸Ａｘ側に折れ曲がるように形成されており、また、連結部２４Ｃは、リフレクタ１６を略円弧状に囲むように形成されている。そして、このレンズホルダ２４は、その左右１対のアーム部２４Ｂの後端部近傍部位においてヒートシンク２２に取り付けられている（これについても後述する）。
【００３３】
図１に示すように、可動シェード１８は、光軸Ａｘの下方において左右方向に延びる回動ピン２６を介してヒートシンク２２に回動可能に支持されている。この可動シェード１８は、その前端部からユニット後方へ向けて斜め上方へ延びるように形成されており、その上端縁１８ａは左右段違いで水平方向に延びるように形成されている。
【００３４】
そして、この可動シェード１８は、ヒートシンク２２に支持されたアクチュエータ２８の駆動により、投影レンズ１２へ向かうリフレクタ１６からの反射光の一部を遮光する遮光位置（図１において実線で示す位置）と、この遮光位置から下方側へ所定角度回動して上記遮光を解除する遮光解除位置（図１において２点鎖線で示す位置）とを採り得るようになっている。このアクチュエータ２８は、ヒートシンク２２にネジ締め固定によって支持されており、図示しないビーム切換えスイッチの操作が行われたときに駆動するようになっている。
【００３５】
図４に示すように、発光素子１４を支持する光源支持部材２０は、平面視において横長矩形状の外形形状を有しており、その上面における発光素子１４の左右両側の位置には、発光素子１４のカソード電極およびアノード電極とそれぞれ電気的に接続された左右１対の端子部２０ａが配置されている。
【００３６】
給電アタッチメント３０は、光源支持部材２０を囲むように形成された絶縁部材３２に対して、発光素子１４との電気的導通を図るための左右１対のバスバー電極３４が、それぞれ一部を露出させた状態で埋設されたインサート成形品として構成されている。
【００３７】
絶縁部材３２は、平面視において横長矩形状の外形形状を有する板状部材であって、その左右方向の中心位置には横長矩形状の開口部３２ａが形成されている。
【００３８】
この絶縁部材３２は、その左右両側部から水平方向に突出する左右１対のフランジ部３２ｂを備えており、各フランジ部３２ｂにおいてネジ４０の締付けによりヒートシンク２２の上面２２ａに固定されている。その際、ヒートシンク２２の上面２２ａには左右１対の位置決めピン２２ｂが形成されており、絶縁部材３２の左右１対のフランジ部３２ｂには、左右１対の位置決めピン２２ｂと係合する係合孔３２ｃがそれぞれ形成されている。左右１対の係合孔３２ｃは、一方が円形状に形成されており、他方が横長矩形状に形成されている。
【００３９】
左右１対のバスバー電極３４は、開口部３２ａに突出する左右２対の端子片３４ａを備えており、これらが光源支持部材２０の左右１対の端子部２０ａに当接することによって発光ダイオード２２と電気的に接続されるようになっている。
【００４０】
また、左右１対のバスバー電極３４は、開口部３２ａに突出する前後２対の押え片３４ｂを備えており、これらが光源支持部材２０の上面に当接することによって発光ダイオード２２が振動等によりヒートシンク２２から浮かないように構成されている。
【００４１】
その際、各端子片３４ａおよび各押え片３４ｂは、光源支持部材２０を上方側から弾性的に押圧する弾性片として構成されている。
【００４２】
絶縁部材３２は、その後部からユニット後方へ向けて突出するコネクタ部３２ｄを備えている。
【００４３】
このコネクタ部３２ｄは、リフレクタ１６の後端位置よりもユニット後方側まで延びるように形成されており、ユニット後方へ向けて開口している。その際、このコネクタ部３２ｄは、絶縁部材３２とヒートシンク２２との左右２箇所の締結位置の中心位置（すなわち光軸Ａｘの真下の位置）に形成されている。また、このコネクタ部３２ｄは、リフレクタ１６の後端位置よりもユニット後方側において上下両側に張り出すように形成されている。
【００４４】
このコネクタ部３２ｄの上壁部には、ユニット前後方向に延びる矩形孔３２ｄ１が形成されており、また、このコネクタ部３２ｄの左右両側壁部には、矩形状の凹部３２ｄ２が形成されている。
【００４５】
このコネクタ部３２ｄの内部空間には、左右１対のバスバー電極３４の端子ピン３４ｃがユニット後方へ向けて突出している。左右１対の端子ピン３４ｃは、各々が板状に形成されており、かつ、その板面が鉛直方向に対してユニット後方側に傾斜した上下方向（すなわち左右１対の端子ピン３４ｃが並んでいる第１方向と直交する第２方向）を向くように配置されている。そして、図３に示すように、このコネクタ部３２ｄの内部空間に給電用配線５０のコネクタ５２がユニット後方側から挿入されて、該コネクタ部３２ｄの矩形孔３２ｄ１および左右１対の凹部３２ｄ２と嵌合することにより、給電アタッチメント３０と給電用配線５０とが電気的に接続されるようになっている。
【００４６】
なお、コネクタ５２の上部には、ユニット後方へ向けて延びる弾性アーム５２ａが形成されており、この弾性アーム５２ａの上面にはランス部５２ａ１が形成されている。そして、このコネクタ５２は、コネクタ部３２ｄの内部空間に挿入される際、弾性アーム５２ａが撓み変形してそのランス部５２ａ１がコネクタ部３２ｄの矩形孔３２ｄ１と係合するようになっており、これにより両者の嵌合状態が維持されるようになっている。
【００４７】
ヒートシンク２２は、その後端位置がコネクタ部３２ｄの後端縁と略同じ位置となるように形成されている。また、このヒートシンク２２の後端部の上面２２ａ（すなわち給電アタッチメント３０が載置されている面）には、コネクタ部３２ｄの下端部の形状に沿った形状を有する凹部２２ａ２が形成されている。さらに、このヒートシンク２２の後部領域には、複数の放熱フィン２２ｃが下方へ向けて延びるようにして形成されている。
【００４８】
図４に示すように、リフレクタ１６は、その左右両側部の下端位置から水平方向に平板状に突出する左右１対のフランジ部１６ｂを備えており、各フランジ部１６ｂにおいてネジ４２の締付けによりレンズホルダ２４と共にヒートシンク２２の上面２２ａに固定されている。
【００４９】
その際、ヒートシンク２２の上面２２ａにおいてリフレクタ１６が取り付けられる部位は、図５に示すように上面２２ａの他の部位よりも上方側に突出した左右１対の上方突出面２２ａ３として形成されている。また、レンズホルダ２４における左右１対のアーム部２４Ｂの後端部近傍部位には、リフレクタ１６の左右１対のフランジ部１６ｂを載置するための左右１対の載置面２４Ｂａが形成されている。これら左右１対の載置面２４Ｂａは、ユニット後方へ向けて下方側に傾斜した傾斜面で構成されており、その傾斜角度はヒートシンク２２の上面２２ａ（左右１対の上方突出面２２ａ３を含む）の傾斜角度と同じ値に設定されている。
【００５０】
これら左右１対の載置面２４Ｂａには、左右１対の位置決めピン２４ｂが形成されている。一方、リフレクタ１６の左右１対のフランジ部１６ｂには、左右１対の位置決めピン２４ｂと係合する係合孔１６ｃがそれぞれ形成されている。左右１対の係合孔１６ｃは、一方が円形状に形成されており、他方が横長長円形に形成されている。
【００５１】
なお、リフレクタ１６の左右１対のフランジ部１６ｂには左右１対のネジ挿通孔１６ｄが形成されており、レンズホルダ２４の左右１対の載置面２４Ｂａには左右１対のネジ挿通孔２４ｄが形成されているが、これらも、一方が円形状に形成されており、他方が横長長円形に形成されている。
【００５２】
図４および５に示すように、リフレクタ１６には、ヒートシンク２２に対する左右２箇所の締結位置よりもユニット後方側に位置する部位に、ヒートシンク２２に当接する当接部１６ｅが形成されている。この当接部１６ｅは、ヒートシンク２２の凹部２２ａ２の左側近傍位置において、リフレクタ１６の下端部からユニット後方へ延びた後に下方へ向けて延びる突起部として形成されており、ヒートシンク２２の上面２２ａに当接するように構成されている。そしてこれにより、ヒートシンク２２によるリフレクタ１６の支持を３点支持構造によって行い、リフレクタ１６の位置決め精度を高めるようになっている。
【００５３】
また、図１に示すように、ヒートシンク２２の上面２２ａにおける左右１対の上方突出面２２ａ３の前端部には、レンズホルダ２４に当接する当接部２２ｄがそれぞれ形成されている。
【００５４】
これら左右１対の当接部２２ｄは、上方へ向けて延びる突起部として形成されており、レンズホルダ２４の左右１対のアーム部２４Ｂの下面に当接するように構成されている。
【００５５】
次に本実施形態の作用について説明する。
【００５６】
本実施形態に係る給電アタッチメント３０は、絶縁部材３２に埋設された左右１対のバスバー電極３４における絶縁部材３２からの露出部分によって、発光素子１４と電気的に接続される端子片３４ａ（第１端子部）と、外部電源と電気的に接続される端子ピン３４ｃ（第２端子部）とが構成されており、その絶縁部材３２には１対の端子片３４ａを露出させる開口部３２ａと１対の端子ピン３４ｃを収容するコネクタ部３２ｄとが形成されているが、１対の端子ピン３４ｃはコネクタ部３２ｄの内部空間において水平方向に並んだ状態で配置されているので、コネクタ部３２ｄの上下方向の寸法を小さくすることができ、これにより給電アタッチメント３０の薄型化を図ることができる。
【００５７】
このように本実施形態によれば、発光素子１４に電力を供給するための給電アタッチメント３０において、その薄型化を図ることができる。
【００５８】
その際、本実施形態に係る給電アタッチメント３０は、絶縁部材３２のコネクタ部３２ｄが左右方向に関して（すなわち１対の端子ピン３４ｃが並んでいる第１方向に関して）絶縁部材３２の開口部３２ａと重複する位置（具体的には開口部３２ａにおける左右方向の中央位置）に形成されているので、給電アタッチメント３０が本実施形態に係る車両用灯具１００のように左右１対の灯具ユニット１０に用いられる場合であっても、両灯具ユニット１０相互間で給電アタッチメント３０を共通化することが容易に可能となる。
【００５９】
しかも、左右１対のバスバー電極３４の端子ピン３４ｃは、各々が板状に形成されており、かつ、板面が鉛直方向に対してユニット後方側に傾斜した上下方向（すなわち第１方向と直交する第２方向）を向くように配置されているので、コネクタ部３２ｄの上下方向の寸法をさらに小さくすることができ、これにより給電アタッチメント３０の一層の薄型化を図ることができる。
【００６０】
そして、本実施形態に係る灯具ユニット１０は、給電アタッチメント３０および発光素子１４が、発光素子１４からの出射光を制御するリフレクタ１６（光学部材）と共にヒートシンク２２に支持されており、このヒートシンク２２の上面２２ａ（すなわち給電アタッチメント３０が載置されている面）には、給電アタッチメント３０の絶縁部材３２におけるコネクタ部３２ｄの少なくとも一部分を収容する凹部２２ａ２が形成されているので、次のような作用効果を得ることができる。
【００６１】
すなわち、ヒートシンク２２の上面２２ａに凹部２２ａ２が形成された構成とすることによりコネクタ部３２ｄとの干渉を回避することが容易に可能となるが、コネクタ部３２ｄはその上下方向の寸法が小さいので、ヒートシンク２２の上面２２ａに凹部２２ａ２が形成されていることによってヒートシンク２２の放熱機能が低下してしまうのを効果的に抑制することができる。
【００６２】
また、コネクタ部３２ｄの上壁部には、該コネクタ部３２ｄを外部電源側のコネクタと係合させるための矩形孔３２ｄ１（係合孔）が形成されているので、コネクタ部３２ｄをその矩形孔３２ｄ１において外部電源側のコネクタ５２と係合させることにより、コネクタ部３２ｄと外部電源側のコネクタ５２との嵌合による給電アタッチメント３０と外部電源との電気的接続を維持することが容易に可能となり、しかも、その嵌合状態をコネクタ部３２ｄの矩形孔３２ｄ１において目視で確認することが可能となる。
【００６３】
上記実施形態においては、給電アタッチメント３０の絶縁部材３２のコネクタ部３２ｄに、該コネクタ部３２ｄを外部電源側のコネクタ５２と係合させるための係合孔として矩形孔３２ｄ１が形成されているものとして説明したが、矩形以外の開口形状（例えば長円形状等）を有する係合孔が形成された構成を採用することも可能である。
【００６４】
上記実施形態においては、灯具ユニット１０がリフレクタ１６を備えたプロジェクタ型の灯具ユニットである場合について説明したが、パラボラ型の灯具ユニット等に上記実施形態の構成を採用することも可能である。
【００６５】
上記実施形態においては、灯具ユニット１０が車載用の灯具ユニットであるものとして説明したが、車載用以外の用途に用いることも可能である。
【００６６】
次に、上記実施形態の変形例について説明する。
【００６７】
図６は、本変形例に係る灯具ユニット１１０の要部を示す、図４と同様の図である。
【００６８】
同図に示すように、本変形例の基本的な構成は上記実施形態の場合と同様であるが、本変形例においては給電アタッチメント１３０の構成が上記実施形態の場合と一部異なっており、これに伴ってヒートシンク１２２の構成も上記実施形態の場合と一部異なっている。
【００６９】
すなわち、本変形例の給電アタッチメント１３０も、絶縁部材１３２のコネクタ部１３２ｄが左右方向に関して（すなわち１対の端子ピン１３４Ａｃ、１３４Ｂｃが並んでいる方向に関して）絶縁部材１３２の開口部１３２ａと重複する位置に形成されているが、その形成位置が左右方向に関して開口部１３２ａの中央位置から右方向に変位した位置に設定されており、これによりコネクタ部１３２ｄと開口部１３２ａとが左右方向に関して部分的に重複している。
【００７０】
これに伴い、左右１対のバスバー電極１３４Ａ、１３４Ｂは、その端子ピン１３４Ａｃ、１３４Ｂｃが開口部１３２ａの中央位置から右方向に変位した位置に形成された構成となっている。
【００７１】
さらに、ヒートシンク１２２の後端部の上面１２２ａに形成された、コネクタ部１３２ｄの下端部の形状に沿った形状を有する凹部１２２ａ２も、開口部１３２ａの中央位置から右方向に変位している。
【００７２】
なお、コネクタ部１３２ｄの形状自体は上記実施形態の場合と同様であって、その上壁部にはユニット前後方向に延びる矩形孔１３２ｄ１が形成されている。
【００７３】
本変形例の構成を採用した場合においても、絶縁部材１３２のコネクタ部１３２ｄが左右方向に関して開口部１３２ａと重複する位置に形成されていることにより、上記実施形態の場合と略同様の作用効果を得ることができる。
【００７４】
また、本変形例に係る給電アタッチメント１３０のように、絶縁部材１３２のコネクタ部１３２ｄの形成位置が開口部１３２ａの中央位置から右方向に変位している構成を採用することにより、リフレクタ１６に形成された当接部１６ｅの位置をさらにユニット後方側に変位させることが可能となる。そしてこれにより、ヒートシンク２２によるリフレクタ１６の支持をより安定的な３点支持構造によって行うことが可能となる。
【００７５】
上記実施形態およびその変形例において諸元として示した数値は一例にすぎず、これらを適宜異なる値に設定してもよいことはもちろんである。
【００７６】
また、本願発明は、上記実施形態およびその変形例に記載された構成に限定されるものではなく、これ以外の種々の変更を加えた構成が採用可能である。
【符号の説明】
【００７７】
１０、１１０  灯具ユニット
１２  投影レンズ
１４  発光素子
１４ａ  発光面
１６  リフレクタ
１６ａ  反射面
１６ｂ  フランジ部
１６ｃ  係合孔
１６ｄ、２４ｄ  ネジ挿通孔
１６ｅ、２２ｄ  当接部
１８  可動シェード
１８ａ  上端縁
２０  光源支持部材
２０ａ  端子部
２２、１２２  ヒートシンク
２２ａ、１２２ａ  上面
２２ａ１  光源支持領域
２２ａ２、１２２ａ２  凹部
２２ａ３  上方突出面
２２ｂ、２４ｂ  位置決めピン
２２ｃ  放熱フィン
２４  レンズホルダ
２４Ａ  ホルダ本体
２４Ｂ  アーム部
２４Ｂａ  載置面
２４Ｃ  連結部
２６  回動ピン
２８  アクチュエータ
３０、１３０  給電アタッチメント
３２、１３２  絶縁部材
３２ａ、１３２ａ  開口部
３２ｂ  フランジ部
３２ｃ  係合孔
３２ｄ、１３２ｄ  コネクタ部
３２ｄ１、１３２ｄ１  矩形孔（係合孔）
３２ｄ２  凹部
３４、１３４Ａ、１３４Ｂ  バスバー電極
３４ａ  端子片（第１端子部）
３４ｂ  押え片
３４ｃ、１３４Ａｃ、１３４Ｂｃ  端子ピン（第２端子部）
４０、４２  ネジ
５０  給電用配線
５２  コネクタ
５２ａ  弾性アーム
５２ａ１  ランス部
１００  車両用灯具
１０２  ランプボディ
１０４  透光カバー
Ａｘ  光軸
Ｆ  後側焦点
【図１】
2020184446.tif 000003
【図２】
2020184446.tif 000004
【図３】
2020184446.tif 000005
【図４】
2020184446.tif 000006
【図５】
2020184446.tif 000007
【図６】
2020184446.tif 000008